(57)【特許請求の範囲】
【請求項１】
帯状に形成された負極端子および正極端子が本体から並行突設され、かつ、前記負極端子および前記正極端子が略同一平面に沿って配向された多数の電池に対して充放電処理を行うために、
前記負極端子および前記正極端子が直立するように前記各電池を整列させる整列部材と、筐体内部に配置されて前記各電池における前記負極端子および前記正極端子の直立状態を維持したまま前記整列部材を水平に案内可能な第１支持部と、前記第１支持部の上方に配置されているとともに前記負極端子および前記正極端子に対して個々に接触可能な多数のコンタクト部と、前記各コンタクト部を垂下支持する第２支持部とを備え、
前記各コンタクト部が、前記負極端子および前記正極端子の一面に接触する負極プローブおよび正極プローブと、前記負極端子および前記正極端子の他面に接触する板部材とにより、前記負極端子および前記正極端子を厚さ方向に沿って挟持する充放電装置であって、
前記整列部材が、断面略Ｌ字状の電池支持部材を一対有し、
前記本体の底部における一部を支持するとともに前記本体の側部に沿うように、前記各電池支持部材が互いに対向配置されているとともに、相対的に近接離反可能であることを特徴とする充放電装置。
【請求項２】
帯状に形成された負極端子および正極端子が本体から並行突設され、かつ、前記負極端子および前記正極端子が略同一平面に沿って配向された多数の電池に対して充放電処理を行うために、
前記負極端子および前記正極端子が直立するように前記各電池を整列させる整列部材と、筐体内部に配置されて前記各電池における前記負極端子および前記正極端子の直立状態を維持したまま前記整列部材を水平に案内可能な第１支持部と、前記第１支持部の上方に配置されているとともに前記負極端子および前記正極端子に対して個々に接触可能な多数のコンタクト部と、前記各コンタクト部を垂下支持する第２支持部とを備え、
前記各コンタクト部が、前記負極端子および前記正極端子の一面に接触する負極プローブおよび正極プローブと、前記負極端子および前記正極端子の他面に接触する板部材とにより、前記負極端子および前記正極端子を厚さ方向に沿って挟持する充放電装置であって、
前記第１支持部および前記第２支持部の相対位置を調整可能な支持部調整手段と、前記第２支持部に対する前記負極プローブおよび前記正極プローブの初期位置を調整する第１プローブ調整手段と、前記負極プローブおよび前記正極プローブ間の離間寸法を調整可能な第２プローブ調整手段と、前記負極プローブおよび前記正極プローブと前記板部材との相対移動寸法を調整可能な第３プローブ調整手段とを有し、
前記負極プローブおよび前記正極プローブが前記整列部材の案内方向に沿って配列されているとともに、
前記負極プローブおよび前記正極プローブと前記板部材との間に前記各端子を配置するように、前記負極端子の幅方向および前記正極端子の幅方向に沿って前記整列部材を前記第１支持部が案内可能であることを特徴とする充放電装置。
【請求項３】
前記支持部調整手段が、前記第１支持部および前記第２支持部の離間方向に沿って延びるねじ軸と、前記ねじ軸に螺合される雌ねじ部と、前記ねじ軸および前記雌ねじ部のうちの一方を回転駆動する駆動部とを有し、
前記ねじ軸および前記雌ねじ部のうちの他方が前記第１支持部および前記第２支持部のうちの一方に設けられていることを特徴とする請求項２に記載した充放電装置。
【発明の詳細な説明】
【０００１】
【発明の属する技術分野】
本発明は、本体から並行突設された帯状の負極端子および正極端子が略同一平面に沿って配向された多数の電池に対して、充放電処理を行う充放電装置に係り、例えばサイズが異なる複数種類の電池に対して容易、かつ、安価に対応可能な充放電装置に関する。
【０００２】
【従来の技術】
図17ないし図22に示すように、従来より、密閉形電池100の初期充放電工程に用いられる充放電装置110は、密閉形電池100の本体101から突設された負極端子102および正極端子103に、コンタクト支持部113に設けられた負極および正極のコンタクト部114を接触させるようになっている。
【０００３】
図19に示すように、充放電の対象となる密閉形電池100は、パレット104上の電池支持具105に設けられた多数の電池収容孔106に、各端子102，103が上方に突出するように本体101が嵌合される。
充放電装置110は、パレット104ごとパレット支持部111の案内レール112によって挿入方向（図17および図18中、矢印方向）に沿って案内する。
これにより、多数の密閉形電池100が電池支持具105に支持された状態で、充放電装置110に挿入される。
【０００４】
そして、充放電装置110は、パレット支持部111を上昇させた後、パレット支持部111上方のコンタクト支持部113に支持された負極および正極の各コンタクト部114側に、密閉形電池100の各端子102，103を押え板115により押圧する。
従って、密閉形電池100の各端子102，103は、各コンタクト部114に設けられた充放電用通電プローブ116に接触する。
これにより充放電装置110は、各端子102，103を各コンタクト部114の充放電用通電プローブ116と押え板115との間で挟持し、この状態で初期充放電工程を開始する。
【０００５】
充放電装置110において、負極および正極の各コンタクト部114の間隔は、密閉形電池100の各端子102，103の間隔に合わせて変更可能である。
また、負極および正極の各コンタクト部114と押え板115の開閉ストロークも、密閉形電池100の各端子102，103の厚さ寸法に合わせて変更可能である。
【０００６】
【発明が解決しようとする課題】
ところで、図23および図24に示すように、密閉形電池100には、高さ寸法Ｈ１，本体高さ寸法Ｈ２，幅寸法Ｗ，厚さ寸法Ｔ等の各部寸法が異なるＡ８サイズ，Ａ９サイズ等の複数種類がある。
このため、前述した従来の充放電装置110では、例えばＡ９サイズに対応させた状態からＡ８サイズに対応する状態に変更する場合、例えば
▲１▼電池支持具105を電池収容孔106の大きさが異なるものに交換する。
▲２▼パレット支持部111の初期位置を低い位置に変更する。
▲３▼密閉形電池100の各端子102，103の間隔Ｌに合わせて負極および正極の各コンタクト部114の間隔を変更する。
▲４▼密閉形電池100の各端子102，103の厚さ寸法Ｔが異なる場合には、負極および正極の各コンタクト部114と押え板115の開閉ストロークを変更する。
という煩雑な操作が必要である。
【０００７】
本発明は、前述した問題点に鑑みてなされたものであり、その目的はサイズが異なる複数種類の電池に対して容易、かつ、安価に対応できる充放電装置を提供することにある。
【０００８】
【課題を解決するための手段】
前述した目的を達成するために、本発明の充放電装置は、帯状に形成された負極端子および正極端子が本体から並行突設され、かつ、前記負極端子および前記正極端子が略同一平面に沿って配向された多数の電池に対して充放電処理を行うために、前記負極端子および前記正極端子が直立するように前記各電池を整列させる整列部材と、筐体内部に配置されて前記各電池における前記負極端子および前記正極端子の直立状態を維持したまま前記整列部材を水平に案内可能な第１支持部と、前記第１支持部の上方に配置されているとともに前記負極端子および前記正極端子に対して個々に接触可能な多数のコンタクト部と、前記各コンタクト部を垂下支持する第２支持部とを備え、前記各コンタクト部が、前記負極端子および前記正極端子の一面に接触する負極プローブおよび正極プローブと、前記負極端子および前記正極端子の他面に接触する板部材とにより、前記負極端子および前記正極端子を厚さ方向に沿って挟持する充放電装置である。
【０００９】
そして、本発明は、請求項１に記載したように、前記整列部材が、断面略Ｌ字状の電池支持部材を一対有し、前記本体の底部における一部を支持するとともに前記本体の側部に沿うように、前記各電池支持部材が互いに対向配置されているとともに、相対的に近接離反可能であることを特徴としている。
【００１０】
このように構成された充放電装置においては、各電池支持部材が相対的に近接離反可能であるため、サイズが異なる複数種類の電池に対して容易、かつ、安価に対応できることになる。
【００１１】
ところで、従来の充放電装置は、電池の出し入れを行う度に、パレット支持部を昇降させる必要がある。
このため、パレット支持部を昇降させるためのエアシリンダ等のアクチュエータが必要であり、装置自体が高価となるとともに、メンテナンス等によるランニングコストの上昇を招き、電池の製造コストを上昇させるという問題があった。
【００１２】
これに対して、本発明は、請求項２に記載したように、前記第１支持部および前記第２支持部の相対位置を調整可能な支持部調整手段と、前記第２支持部に対する前記負極プローブおよび前記正極プローブの初期位置を調整する第１プローブ調整手段と、前記負極プローブおよび前記正極プローブ間の離間寸法を調整可能な第２プローブ調整手段と、前記負極プローブおよび前記正極プローブと前記板部材との相対移動寸法を調整可能な第３プローブ調整手段とを有し、前記負極プローブおよび前記正極プローブが前記整列部材の案内方向に沿って配列されているとともに、前記負極プローブおよび前記正極プローブと前記板部材との間に前記各端子を配置するように、前記負極端子の幅方向および前記正極端子の幅方向に沿って前記整列部材を前記第１支持部が案内可能であることを特徴としている。
【００１３】
このように構成された充放電装置においては、支持部調整手段，第１プローブ調整手段，第２プローブ調整手段，第３プローブ調整手段により、電池の高さ寸法，本体高さ寸法，幅寸法，厚さ寸法等に対して個別に対応可能であり、これによりサイズが異なる複数種類の電池に対して容易、かつ、安価に対応できることになる。
また、この充放電装置においては、負極プローブおよび正極プローブと板部材との間に各端子を配置するように、負極端子の幅方向および正極端子の幅方向に沿って整列部材を第１支持部が案内可能であるため、密閉形電池の出し入れを行う度にパレット支持部を昇降させる必要性が解消され、これにより従来に比較して電池の製造コストを低減できることになる。
【００１４】
更に、本発明は、請求項３に記載したように、前記支持部調整手段が、前記第１支持部および前記第２支持部の離間方向に沿って延びるねじ軸と、前記ねじ軸に螺合される雌ねじ部と、前記ねじ軸および前記雌ねじ部のうちの一方を回転駆動する駆動部とを有し、前記ねじ軸および前記雌ねじ部のうちの他方が前記第１支持部および前記第２支持部のうちの一方に設けられていることを特徴としている。
【００１５】
このように構成された充放電装置においては、駆動部によってねじ軸および雌ねじ部のうちの一方が回転駆動されることにより、ねじ軸および雌ねじ部間にねじ作用が生じる。
これにより、第１支持部および第２支持部のうちの一方が、他方に対して相対移動され、第１支持部および第２支持部の位置調整が行われる。
【００１６】
【発明の実施の形態】
以下、本発明に係る実施形態を図面に基づいて詳細に説明する。
図１に示すように、本発明の実施形態である充放電装置30は、パレット20上に整列された多数の密閉形電池10を、パレット20ごとパレット支持部40に支持するとともに、コンタクト支持部61に密閉形電池10と同数設けられたコンタクト部60によって、各密閉形電池10の充放電処理を行う。
【００１７】
充放電処理の対象となる各密閉形電池10は、それぞれ帯状に形成された負極端子11および正極端子12が本体13から並行突設され、かつ、負極端子11および正極端子12が略同一平面に沿って配向されている。
【００１８】
図２および図３に示すように、パレット20は、一対のベース部材21上に略直交する状態で固定された多数対（図１では４対）の断面略Ｌ字状の電池支持部材22によって、負極端子11および正極端子12が直立するように各密閉形電池10を整列させる。
【００１９】
すなわち、各電池支持部材22のうちの一方（図２中、右側）はそれぞれ、ベース部材21に穿設された孔21ａに孔22ａが連通された状態で、各孔21ａ，22ａにビス23が嵌挿されるとともに、ビス23にワッシャ24を介してナット25が嵌合される。
ナット25の締め付けにより、各電池支持部材22の一方がベース部材２１に対して所定の位置に固定される。
【００２０】
また、各電池支持部材22の他方（図２中、左側）はそれぞれ、ベース部材21に穿設された長孔21ｂに孔22ａが連通された状態で、各孔21ｂ，22ａにビス23が嵌挿されるとともに、ビス23にワッシャ24を介してナット25を嵌合される。
ナット25の締め付けにより、各電池支持部材22の他方がベース部材21および各電池支持部材22の一方に対して所定の位置に固定される。
【００２１】
更に、各電池支持部材22の他方はそれぞれ、ナット25の締め付け前に、ベース部材21の長孔21ｂ内でビス23をベース部材21に対して相対移動されることにより、各電池支持部材22の一方に対する相対位置を、図２中矢印方向に変更可能である。
これにより、各電池支持部材22の間隔を変更でき、図３（Ａ）および図３（Ｂ）に示すように、各種サイズの密閉形電池10に対応可能である。
【００２２】
図４および図５に示すように、パレット支持部40は、充放電装置30の装置本体31内部に配置されており、各密閉形電池10における負極端子11および正極端子12の直立状態を維持したまま、パレット20を略水平な状態で案内レール41に沿って装置本体31内部に案内可能である。
なお、案内レール41は、パレット20の導入を円滑に行えるよう、パレット20の案内方向（図１中、矢印Ｚ方向）手前側の端部41ａを外側に開くように形成されている。
すなわち、パレット支持部40は、コンタクト部60の後述する負極プローブ62および正極プローブ63と板部材64との間に、各密閉形電池10の負極端子11および正極端子12をそれぞれ配置するように、負極端子11および正極端子12の幅方向に沿ってパレット20を案内可能である。
【００２３】
パレット支持部40は、パレット20の案内方向Ｚに沿って所定量変位可能なストッパ42によって、パレット20の装置本体31奥側の位置を位置決め可能である。
ストッパ42は、ハンドル43の回転操作に伴ってねじ軸44に形成された雄ねじ部44ａおよびストッパプレート45に形成された雌ねじ部（図示しない）間に生じるねじ作用により、ピン46が嵌挿された長孔45ａの長手方向の範囲内で位置調整可能である。
【００２４】
パレット支持部40およびコンタクト支持部61の相対位置は、支持部調整手段50によって調整可能である。
すなわち、支持部調整手段50は、パレット支持部40およびコンタクト支持部61の離間方向（図４中、上下方向）に沿って延びるねじ軸51と、パレット支持部40に設けられ、ねじ軸51に螺合される雌ねじ部52と、ねじ軸51をベルト53を介して回転駆動する駆動部54とを有している。
支持部調整手段50は、駆動部54のハンドル55の回転操作に伴うベルト53の移動によって、ねじ軸51が回転されることにより、ねじ軸51および雌ねじ部52間にねじ作用を生じ、パレット支持部40をコンタクト支持部61に対して相対移動させる。
【００２５】
図１および図６を参照すると、各コンタクト部60はそれぞれ、装置本体31内部におけるパレット支持部40の上方に配置されたコンタクト支持部61に垂下支持されているとともに、パレット20の案内方向Ｚに沿って配列された負極プローブ62および正極プローブ63を、負極端子11および正極端子12に対して個々に接触可能である。
すなわち、各コンタクト部60はそれぞれ、負極端子11および正極端子12の一面に接触する負極プローブ62および正極プローブ63と、負極端子11および正極端子12の他面に接触する板部材64とにより、負極端子11および正極端子12を厚さ方向に沿って挟持する。この状態で、各コンタクト部60は、密閉形電池10の充放電処理を行う。
【００２６】
図10および図11を参照すると、負極プローブ62は、負極プローブ支持プレート65にボルト66を介して固定されており、ベースプレート67に穿設された貫通孔67ａを介して、パレット支持部40側（図11中、下側）に突出されている。
また、正極プローブ63は、正極プローブ支持プレート68にボルト69を介して固定されており、ベースプレート67の貫通孔67ａおよび負極プローブ支持プレート65に穿設された貫通孔65ａを介して、パレット支持部40側（図11中、下側）に突出されている。
なお、符号70は電線を示し、符号71は充放電状態を監視するための監視プローブを示す。
【００２７】
図１，図６ないし図15を参照すると、コンタクト支持部61に対する負極プローブ62および正極プローブ63の初期位置は、第１プローブ調整手段によって調整可能である。
すなわち、第１プローブ調整手段において、負極プローブ支持プレート65および正極プローブ支持プレート68は、ベースプレート67に対してリニアガイド80に沿って相対移動可能に支持されており、軸81の進退に伴って図７および図８中矢印Ａ方向に所定量相対移動される。
相対移動量は、ストッパ82の軸83に対するダブルナット84の位置調整によって、所定の範囲内で任意に設定可能である。
【００２８】
第１プローブ調整手段は、負極プローブ支持プレート65および正極プローブ支持プレート68をベースプレート67に対して、図７および図８中矢印Ａ方向に相対移動させることにより、負極プローブ62および正極プローブ63のコンタクト支持部61に対する初期位置を調整する。
【００２９】
負極プローブ62および正極プローブ63間の離間寸法Ｃは、第２プローブ調整手段によって調整可能である。
すなわち、第２プローブ調整手段において、負極プローブ支持プレート65は、正極プローブ支持プレート68に対してリニアガイド85に沿って相対移動可能に支持されており、ハンドル86の回転操作に伴う雄ねじ軸87の回転によって、雄ねじ軸87および雄ねじ軸87に螺合される雌ねじ部88間に生じるねじ作用で、図７および図９中矢印Ｂ方向に所定量相対移動される。
【００３０】
第２プローブ調整手段は、負極プローブ支持プレート65を正極プローブ支持プレート68に対して、図７および図９中矢印Ｂ方向に相対移動させることにより、負極プローブ62および正極プローブ63間の離間寸法Ｃを調整する。
なお、負極プローブ支持プレート65のみでなく、正極プローブ支持プレート68も図７および図９中矢印Ｂ方向に移動可能とし、それぞれ個別に移動させることにより、離間寸法Ｃを調整するように構成してもよい。
【００３１】
負極プローブ62および正極プローブ63と板部材64との相対移動寸法は、第３プローブ調整手段によって調整可能である。
すなわち、第３プローブ調整手段は、負極プローブ支持プレート65および正極プローブ支持プレート68をベースプレート67に対して、図６および図７中矢印Ａ方向に相対移動させることにより、負極プローブ62および正極プローブ63と板部材64との相対移動寸法を調整する。これにより、密閉形電池10の各端子11，12の多種の厚さ寸法に対応可能である。
【００３２】
本実施形態の作用を説明する。
密閉形電池10は、電池支持部材22によってパレット20上に支持される。この際、密閉形電池10のサイズに合わせて、パレット20上の各電池支持部材22の間隔が調整されることにより、密閉形電池10がパレット20上に確実に支持される。
【００３３】
充放電装置30においては、最初に、各密閉形電池10の高さ寸法（端子先端の高さ位置）に合わせて、パレット支持部40を昇降させる。
これにより、各密閉形電池10の各端子11，12の高さ位置を、コンタクト部60の負極プローブ62および正極プローブ63の高さ位置に合わせる。
【００３４】
次に、密閉形電池10の正極端子12がコンタクト部60の正極プローブ63に対応する位置となるように、パレット支持部40のストッパ42を調整し、パレット20を装置本体31に対して所定の位置に位置決めする。
この状態で、密閉形電池10の負極端子11が、コンタクト部60の負極プローブ62に対応する位置となるように、第２プローブ調整手段によって、負極プローブ支持プレート65を正極プローブ支持プレート68に対して、図７および図９中矢印Ｂ方向に相対移動させる。
【００３５】
更に、密閉形電池10の各端子11，12の厚さ寸法に合わせて、第３プローブ調整手段によって、負極プローブ支持プレート65および正極プローブ支持プレート68をベースプレート67に対して、図６および図７中矢印Ａ方向に相対移動させる。これにより、負極プローブ62および正極プローブ63と板部材64との相対移動寸法を調整する。
【００３６】
前述した充放電装置30によれば、パレット20上に各電池支持部材22によって整列された多数の密閉形電池10を、パレット20ごとパレット支持部40に支持するとともに、コンタクト支持部61に密閉形電池10と同数設けられたコンタクト部60によって、各密閉形電池10の充放電処理を行う。
【００３７】
これらの電池支持部材22はそれぞれ、パレット20上における相対位置を図２中矢印方向に変更可能である。
また、コンタクト部60において、コンタクト支持部61に対する負極プローブ62および正極プローブ63の初期位置は、第１プローブ調整手段によって調整可能であるとともに、負極プローブ62および正極プローブ63間の離間寸法Ｃは、第２プローブ調整手段によって調整可能であり、更に負極プローブ62および正極プローブ63と板部材64との相対移動寸法は、第３プローブ調整手段によって調整可能である。
従って、サイズが異なる複数種類の密閉形電池10に対して容易、かつ、安価に対応できる。
【００３８】
なお、本発明の充放電装置は、前述した実施形態に限定されるものでなく、適宜な変形、改良等が可能である。
例えば前述した実施形態では、支持部調整手段50は、図16（Ａ）に示すように、パレット支持部40側に雌ねじ部を設けるとともに、当該雌ねじ部にねじ軸の雄ねじ部を螺合させ、ねじ軸を直接回転させることにより、パレット支持部40をコンタクト支持部61に対して相対移動させる構成であるが、これに限らない。
【００３９】
すなわち、図16（Ｂ）に示すように、ねじ軸90をパレット支持部40に固定するとともに、ねじ軸90の雄ねじ部90ａに、雌ねじ部（図示しない）を有するナット91を螺合させ、当該ナット91を回転させることにより、パレット支持部40をコンタクト支持部61に対して相対移動させることもできる。
また、図16（Ｃ）に示すように、コンタクト支持部61側に雌ねじ部（図示しない）を設けるとともに、当該雌ねじ部にねじ軸92の雄ねじ部92ａを螺合させ、ねじ軸92を直接回転させることにより、コンタクト支持部61をパレット支持部40に対して相対移動させることもできる。
【００４０】
さらに、図16（Ｄ）に示すように、ねじ軸93をコンタクト支持部61に固定するとともに、ねじ軸93の雄ねじ部（図示しない）に、雌ねじ部（図示しない）を有するナット94を螺合させ、当該ナット94を回転させることにより、コンタクト支持部61をパレット支持部40に対して相対移動させることもできる。
そして、図16（Ｅ）に示すように、パレット支持部40およびコンタクト支持部61の双方共に移動可能に構成することもできる。
【００４１】
その他、前述した実施形態において例示した整列部材，第１支持部，コンタクト部，第２支持部，負極プローブ，正極プローブ，板部材，電池支持部材，支持部調整手段，第１プローブ調整手段，第２プローブ調整手段，第３プローブ調整手段，ねじ軸，雌ねじ部，駆動部等の材質，形状，寸法，形態，数，配置個所等は本発明を達成できるものであれば任意であり、限定されない。
例えば、前述した実施形態では、先端が円盤状に形成された負極プローブおよび正極プローブが例示されていたが、略Ｖ字状の接触子が多数並設された負極プローブおよび正極プローブを採用することにより、負極端子および正極端子に対する負極プローブおよび正極プローブの位置ずれ許容量を大きく確保した形態も本発明に含まれる。
【００４２】
【発明の効果】
以上、説明したように、本発明によれば、請求項１に記載したように、整列部材が、断面略Ｌ字状の電池支持部材を一対有し、本体の底部における一部を支持するとともに本体の側部に沿うように、各電池支持部材が互いに対向配置されているとともに、相対的に近接離反可能である。従って、サイズが異なる電池に対して容易、かつ、安価に対応できる。
【００４３】
一方、本発明によれば、請求項２に記載したように、支持部調整手段，第１プローブ調整手段，第２プローブ調整手段，第３プローブ調整手段とを有するため、サイズが異なる電池に対して容易、かつ、安価に対応できる。
【００４４】
更に、本発明によれば、請求項３に記載したように、支持部調整手段が、第１支持部および第２支持部の離間方向に沿って延びるねじ軸と、ねじ軸に螺合される雌ねじ部と、ねじ軸および雌ねじ部のうちの一方を回転駆動する駆動部とを有し、ねじ軸および雌ねじ部のうちの他方が第１支持部および第２支持部のうちの一方に設けられている。従って、サイズが異なる電池に対して容易、かつ、安価に対応できる。
【図面の簡単な説明】
【図１】本発明に係る実施形態を示す斜視図である。
【図２】パレットに対する電池支持部材の固定構造を示す要部斜視図である。
【図３】電池支持部材によって各部の寸法が異なる各種密閉形電池を支持した状態を示す要部断面図である。
【図４】図１の充放電装置のパレット支持部およびパレット支持部昇降手段を示す分解斜視図である。
【図５】図４のパレット支持部のストッパ構造を示す図である。
【図６】図１の充放電装置のコンタクト支持部、コンタクト部、板部材および密閉形電池を示す要部斜視図である。
【図７】コンタクト支持部を示す分解斜視図である。
【図８】コンタクト支持部の側面図である。
【図９】コンタクト支持部の要部分解斜視図である。
【図１０】コンタクト支持部の要部分解斜視図である。
【図１１】コンタクト部を示す要部断面図である。
【図１２】充放電装置のパレット支持部、コンタクト支持部、コンタクト部の位置調整前の状態を示す要部断面図である。
【図１３】充放電装置のパレット支持部、コンタクト支持部、コンタクト部の位置調整後の状態を示す要部断面図である。
【図１４】図１３の充放電装置に１列の密閉形電池を支持したパレットがセットされた状態を示す要部断面図である。
【図１５】図１３の充放電装置に複数列の密閉形電池を支持したパレットがセットされた状態を示す要部断面図である。
【図１６】支持部調整手段の例を示す要部概略側面図である。
【図１７】従来の充放電装置を示す全体斜視図である。
【図１８】図１７の充放電装置の要部斜視図である。
【図１９】密閉形電池の電池支持具を示す斜視図である。
【図２０】図１７の充放電装置のコンタクト部を示す要部斜視図である。
【図２１】図１７の充放電装置の全体概略縦断面図である。
【図２２】図１７の充放電装置のコンタクト部への密閉形電池の端子の接触過程を示す要部概略断面図である。
【図２３】各部の寸法が異なる各種密閉形電池を示す側面図である。
【図２４】密閉形電池の各部の寸法を示す斜視図である。
【符号の説明】
10  密閉形電池
11  負極端子
12  正極端子
13  本体
20  パレット
21  ベース部材
22  電池支持部材
30  充放電装置
40  第１支持部
50  支持部調整手段
60  コンタクト部
61  第２支持部
62  負極プローブ
63  正極プローブ
64  板部材
65  負極プローブ支持プレート
67  ベースプレート
68  正極プレート支持プレート
【図１】
0004228382.tif 000002
【図２】
0004228382.tif 000003
【図３】
0004228382.tif 000004
【図４】
0004228382.tif 000005
【図５】
0004228382.tif 000006
【図６】
0004228382.tif 000007
【図７】
0004228382.tif 000008
【図８】
0004228382.tif 000009
【図９】
0004228382.tif 000010
【図１０】
0004228382.tif 000011
【図１１】
0004228382.tif 000012
【図１２】
0004228382.tif 000013
【図１３】
0004228382.tif 000014
【図１４】
0004228382.tif 000015
【図１５】
0004228382.tif 000016
【図１６】
0004228382.tif 000017
【図１７】
0004228382.tif 000018
【図１８】
0004228382.tif 000019
【図１９】
0004228382.tif 000020
【図２０】
0004228382.tif 000021
【図２１】
0004228382.tif 000022
【図２２】
0004228382.tif 000023
【図２３】
0004228382.tif 000024
【図２４】
0004228382.tif 000025